(57)【要約】【課題】確実な緩み止め効果を持続させるとともに繰り返し使用をも可能にする。【解決手段】レンズ１の外周面に接触するレンズ止め部１４を有し、このレンズ１の取付穴２と一致するガイド穴１１を有する支持部材１０と、これら穴を貫通するねじ３によりレンズ１を支持部材１０に取り付ける眼鏡において、ねじ３に螺合するナット部材２０をねじ３の螺入開始側とは反対側に配置し、ナット部材２０の側面に前記レンズ止め部１４に端部が接触する延設部片２３を一体に形成した眼鏡のレンズ取付構造であるので、ナット部材はねじと供回りすることなくねじに螺合される。また、緩めようとする力がナット部材に作用しても、ナット部材自体が回ることがなくナット部材の緩み止め効果が十分に発揮される。更に、ナット部材は比較的厚みが薄いので、レンズの汚れを除去する際にナット部材の周囲の汚れが除けないといったことも解消される。【選択図】図１
2006126626.tif 000002
【特許請求の範囲】
【請求項１】
レンズ（１）の外周面に接触するレンズ止め部（１４）を有し、このレンズに穿設された取付穴（２）と一致するガイド穴（１１）を有する支持部材（１０）と、これら取付穴とガイド穴とを貫通するねじ（３）によりレンズを前記支持部材に取り付けるようにした眼鏡において、
前記レンズを貫通するねじに螺合されるナット部材（２０）をねじの螺入開始側とは反対側に配置し、このナット部材の側面に前記レンズ止め部に端部が接触する延設部片（２３）が一体に形成されていることを特徴とする眼鏡のレンズ取付構造。
【請求項２】
ナット部材はねじが螺合される雌ねじ穴（２２）の中心から延設部片の端面までの距離がレンズの取付穴の中心からレンズ止め部に接触するレンズの外周面までの距離に等しい構成であることを特徴とする請求項１記載の眼鏡のレンズ取付構造。
【請求項３】
ナット部材は金属板材を圧造打抜き加工することによって形成され且つ、バーリング加工により得られる円筒のフランジ部（２１）の内面にねじが螺合される雌ねじ穴を形成した構成であることを特徴とする請求項１又は２記載の眼鏡のレンズ取付構造。
【発明の詳細な説明】
【技術分野】
【０００１】
本発明は、眼鏡枠がなくレンズに直接テンプル及びブリッジを接続するようにしたフレームレス眼鏡に関し、特に、レンズを支持部材にねじで固定したときにねじが螺合されるナットの緩みを阻止するようにしたレンズの取付構造に関する。
【背景技術】
【０００２】
最近の眼鏡業界においては、縁無し眼鏡、所謂、フレームレスレンズを使用した眼鏡が多く採用されるようになっており、このような眼鏡はレンズを直接ねじとナットとにより支持部材に取り付けるようになっている。このようにすることで、眼鏡全体が軽くなるとともにレンズ枠がないため、目の視野が広くなり、そのため、これの需要が増加傾向となっている。このような眼鏡に使用されるねじとしては、通常のねじ山が形成された金属製のねじが主流であり、図６に示すように、このねじ１０３と金属製のナット１２０とを組み合わせてレンズ１０１を固定するようにしたものがある（例えば、特許文献１参照）。しかしながら、金属製のナット１２０を使用した場合、最初は強固に緊締されるが、使用中に緩みが生じることが多々あり、このため、ナットを二重にした所謂、ダブルナット構造にして緩み止め作用を生じさせている。また、この金属製のナットに代えて、ナットを全て樹脂製としたものもあり、この樹脂製のナットに金属製のねじを螺合させてこのナットの弾性力によりねじ山に抵抗をもたせてねじの緩みを阻止するようにしたものも使用されている（特許文献２参照）。
【特許文献１】特開平８−８２７７０号公報
【特許文献２】特開平８−４９７１６号公報
【発明の開示】
【発明が解決しようとする課題】
【０００３】
ところが、このようなねじとナットとによるレンズの取付構造においては、ねじの頭部をレンズの外側に、ねじの脚部先端をレンズの内側、即ち、顔面側に突出させてナットに螺合させ、緊締する構造が眼鏡の美観を重視する面から多く採用されており、そのため、ナットはある程度レンズ面から突出しているのが現状である。このように、ナットがレンズ面から突出していることで、この眼鏡のレンズ面が汚れてこれを除去するために清掃しようとすると、このナットに清掃布あるいは清掃紙が引っ掛かったりしている。また、レンズ面からナットが突出していることで、この周囲を完全に拭き取ることができず、汚れが除去できなかった。更に、金属製ねじを樹脂製ナットにねじ込むことで樹脂ナットに雌ねじを形成し、この雌ねじの表面で金属ねじのねじ山表面に圧力を与え、これにより、ねじの緩み止め作用を発揮するようにした場合、この状態で長期間使用していると、樹脂ナットには塑性変形が生じ、雌ねじの反発力が減少して緩み止め作用が減少している。その上、このねじ及びナットを再使用してレンズを再び支持部材に取り付けた場合、ねじの螺入作業は抵抗が減少して容易になるが、反対に緩み止め作用は徐々に減少している。
【０００４】
本発明はこのような課題を解決するために開発されたもので、簡単な構成で確実な緩み止め効果を持続させるとともに繰り返し使用をも可能にするナット部材を得ることを目的としている。
【課題を解決するための手段】
【０００５】
本発明の目的は、レンズ１の外周面に接触するレンズ止め部１４を有し、このレンズ１に穿設された取付穴２と一致するガイド穴１１を有する支持部材１０と、これら取付穴２とガイド穴１１とを貫通するねじ３によりレンズ１を前記支持部材１０に取り付けるようにした眼鏡において、前記レンズ１を貫通するねじ３に螺合されるナット部材２０をねじ３の螺入開始側とは反対側に配置し、このナット部材２０の側面に前記レンズ止め部１４に端部が接触する延設部片２３が一体に形成されている眼鏡のレンズ取付構造とすることで達成される。
【０００６】
また、この構成において、ナット部材はねじ３が螺合される雌ねじ穴２２の中心から延設部片２３の端面までの距離がレンズ１の取付穴２の中心からレンズ止め部１４に接触するレンズ１の外周面までの距離に等しい構成の眼鏡のレンズ取付構造であるので、ナットの緩みはねじを緩めない限り緩むことがない。更に、ナット部材は金属板材を圧造打抜き加工することによって形成され且つ、バーリング加工により得られる円筒のフランジ部２１の内面にねじ３が螺合される雌ねじ穴２２を形成した構成であるから、ナットが比較的薄くなり、レンズの汚れを除去する際に何らの支障も生じない。
【発明の効果】
【０００７】
本発明によれば、ナット部材はねじによりレンズに固定される際に、支持部材のレンズ止め部に延設部片が接する構成になっているので、レンズの固定時にナット回し部材で回さなくてもナット部材はねじと供回りすることなくねじに螺合される。また、これにより、ナット部材を緩めようとする力がナット部材に作用しても、ナット部材自体が回ることがなくナット部材の緩み止め効果が十分に発揮される。更に、ナット部材は比較的厚みの薄い金属製となっているので、レンズの汚れを除去する際にこれがじゃまになって、ナット部材の周囲の汚れが除けないといったことも解消される。しかも、ナット部材はレンズ面から僅かしか突出していないので、汚れの除去に使用する清掃布や紙がこれに引っ掛かり破れるといったこともない等の特有の効果が得られる。
【発明を実施するための最良の形態】
【０００８】
以下、本発明の実施の形態を図１乃至図５に基づき説明する。図１及び図２において、１は眼鏡用のレンズであり、このレンズ１には取付穴２が穿設されている。この穴２には一方のレンズ面に樹脂製で一端に鍔部１３を有する円筒状の第１ワッシャ１２が挿入してあり、この第１ワッシャ１２の鍔部１３には支持部材１０が接触固定可能に配置されている。この支持部材１０には前記レンズ１を組み合わせたときにこのレンズ１の取付穴２と一致するよう同一中心線上にガイド穴１１が形成してあり、このガイド穴１１はこれら支持部材１０とレンズ１とを一体固定するねじ３の脚部４が貫通可能な寸法となっている。
【０００９】
そして、これら取付穴２とガイド穴１１とを貫通するねじ３によりレンズ１を支持部材１０に取り付けるようになっている。また、この支持部材１０にはレンズ取付側のレンズ外周面が接触する面にレンズ止め部１４が形成してあり、このレンズ止め部１４の高さはレンズ１の厚みに加えて少なくともナット部材２０の厚みを加えた寸法になっている。
【００１０】
一方、レンズ１の前記第１ワッシャ１２の反対側、即ち、前記レンズ１を貫通するねじ３の螺入開始側とは反対側には前記取付穴２に挿入される円筒形状のフランジ部２１を有するナット部材２０が配置してあり、図３及び図４に示すように、このフランジ部２１の内面には前記ねじ３が螺合可能なようにねじ山が少なくとも２山以上形成された雌ねじ穴２２を有している。このナット部材２０にはその側面に前記支持部材１０のレンズ止め部１４に端部が接触する延設部片２３が一体に形成してあり、このナット部材２０の延設部片２３はねじ３が螺合されるねじ山が形成された雌ねじ穴２２の中心からこれの端面までの距離が前記レンズ１の取付穴２の中心からレンズ止め部１４に接触するレンズ１の外周面までの距離に等しいか僅かに短くなった構成となっている。このため、ねじ３とナット部材２０が螺合されるときに延設部片２３はレンズ止め部１４に接触する位置まで移動し、このレンズ止め部材１４に係止されるようになっている。
【００１１】
更に、このナット部材２０の雌ねじ穴２２において、前記ねじ３の脚部４が螺入される入り口側にはテーパ形状の面取り部２４が形成してあり、これにより、螺入開始時において、雌ねじ穴２２へのねじ３の螺入が容易になっている。このナット部材２０は金属板材を圧造打抜き加工することによって形成され、前記雌ねじ穴２２が形成されている円筒のフランジ部２１はバーリング加工により前記板材の厚みの少なくとも２倍以上の長さが得られるようになっている。
【００１２】
このように構成されたナット部材２０を用いて支持部材１０にレンズ１を取り付け固定する場合は、図１に示すように、支持部材１０のレンズ止め部１４にレンズ１の外周面を接触させるように且つ支持部材１０のガイド穴１１にレンズ１の取付穴２を一致させながら嵌め合わせる。このとき、レンズ１には第１ワッシャ１２が取付穴２に嵌め合わされており、レンズ１のねじ３の螺入開始側と反対側にはナット部材２０のフランジ部２１が第２ワッシャ２５をレンズ１との間に介在させた状態で嵌め合わされて配置される。この後、ねじ３を支持部材側からガイド穴１１に挿入し、ねじ３を螺入すると、図５に示すように、ねじ３はナット部材２０の雌ねじ穴２２に螺合されてレンズ１を支持部材１０とナット部材２０との間に挟み込むことになる。この状態において、ナット部材２０の延設部片２３は支持部材１０のレンズ止め部１４に端部が接する状態となるからナット部材２０はねじ３の螺入時に供回りせずにねじ３とナット部材２０は螺合を続け、レンズ１は強固に支持部材１０に取り付けられる。
【００１３】
一方、このようにしてレンズ１が取り付け固定された後、ナット部材２０に緩みが生じても、このナット部材２０は延設部片２３の端部が支持部材１０のレンズ止め部１４に接触しているので、ナット部材２０の緩みは阻止されることになる。このため、ナット部材２０にねじ３の緩みが生じても、ねじ３をナット部材２０に再び螺入するだけで確実にナット部材２０とねじ３とを固定することができ、従来のように、ナットに嵌るナット回し（図示せず）を用いる必要がない。尚、ねじ３のねじ山に緩み止め作用を行う例えば、樹脂被膜、接着剤等の緩み止め材を用いると、ナット部材とねじとの間の緩み止め効果がより向上する。
【図面の簡単な説明】
【００１４】
【図１】本発明の使用状態を示す断面正面図である。
【図２】図１の底面図である。
【図３】本発明に係るナット部材の拡大断面正面図である。
【図４】図３の底面図である。
【図５】支持部材にレンズを取り付けた状態を示す断面正面図である。
【図６】本発明の従来例を示す断面図である。
【符号の説明】
【００１５】
１  レンズ
２  取付穴
３  ねじ
４  脚部
１０  支持部材
１１  ガイド穴
１２  第１ワッシャ
１３  鍔部
１４  レンズ止め部
２０  ナット部材
２１  フランジ部
２２  雌ねじ穴
２３  延設部片
２４  面取り部
２５  第２ワッシャ
【図１】
2006126626.tif 000003
【図２】
2006126626.tif 000004
【図３】
2006126626.tif 000005
【図４】
2006126626.tif 000006
【図５】
2006126626.tif 000007
【図６】
2006126626.tif 000008